(57)【要約】      （修正有）【課題】衣類の着脱時の操作が容易にでき、化粧で衣類を汚さず、髪型も崩れ難く、洗濯可能で経済的に考慮されたフェイスカバーを提供する。【解決手段】略円筒状の形をして、前面部２と背面部１から成り、前面部の筒方向の長さは、背面部の筒方向の長さより長く設定して、前面部と背面部とには、各々筒方向に延びる接合部Ｌ、Ｒを設けて、略円筒形に構成され、上部開口部４近傍に円周方向に伸縮性を有する弾性部材から成る装着部３を設け、上部開口部近傍を縮めて形成することで、衣類を着る時は、頭頂部に装着部を乗せた状態で装着すると、顔から首下および頭部までを覆うことができる。また、脱ぐ時には、装着部を首まで下ろし、前面部の下辺の両端近傍を両手で持ち上げ、顔を覆うように裏返すと、顎下に装着部を引っ掛けた状態で、顔から後頭部近傍まで覆うことができる。これにより衣類の着脱時に、化粧が付着せず、髪型も崩れ難く、手早く容易に着用することができる。【選択図】図４
0003229425.tif 000002
【実用新案登録請求の範囲】
【請求項１】
略円筒状の形をした着脱用フェイスカバーであって、
前面部と、背面部と、から成り、前記前面部の筒方向の長さは、前記背面部の筒方向の長さより長く設定して、略円筒形に構成され、
上部開口部近傍に、円周方向に伸縮性を有する装着部が設けられていることを特徴とする
着脱用フェイスカバー。
【請求項２】
前記前面部と、前記背面部と、には各々筒方向に延びる前記接合部が設けられ、略円筒形に構成されることを特徴とする
請求項１記載の着脱用フェイスカバー。
【請求項３】
前記装着部は、弾性部材で構成され、
前記装着部により、前記上部開口部近傍が、円周方向に縮められて形成されることを特徴とする
請求項１および請求項２のうちのいずれか１項記載の着脱用フェイスカバー。
【請求項４】
吊るし紐が、前記装着部に接合されることを特徴とする
請求項１から請求項３までのうちいずれか１項記載の着脱用フェイスカバー。
【請求項５】
前記前面部と前記背面部は、メッシュ構造のポリエステル素材で形成されることを特徴とする
請求項１から請求項４のうちいずれか１項記載の着脱用フェイスカバー。
【考案の詳細な説明】
【技術分野】
【０００１】  本考案は衣類の着脱時に、口紅やファンデーションなどが衣類に付かないように、顔から首下および頭部までを覆う形状で着用でき、脱ぐ時には装着部で首周りが軽く固定でき、衣類と一緒に脱げず、化粧ケープとしても利用できるように考慮された、着脱用フェイスカバー関するものである。
【背景技術】
【０００２】  従来の着脱用フェイスカバーは、衣料品店の試着室に設置されている不織布から成る、横幅が同寸で長さの違う２枚の不織布の上辺と、左右両辺とをそれぞれ接合して形成される、歌舞伎に登場する黒子の被り物のような形状であり、衣類を着る時はスムーズに行われるが、脱ぐ時には、着脱用フェイスカバーの前面の下辺近傍を、顎下に挟んで抑えていないと、衣類と一緒に脱げてしまい、衣類を汚してしまう難点があった。また、特許文献１に記載のフェイスカバーにおいては、被った時、目の前の位置に透明のフィルムが設置されるよう、フィルムの上下に不織布を接合して前面を構成し視野を確保しているが、洗濯不可で不経済である。また、特許文献２に記載のフェイスカバーにおいては、不織布や紙や布を使用し、顎係止帯を設けて、装着者の顎部に容易に係止させるように形成されているものなどがあるが、盛り髪などで頭部が高くなれば顎係止帯が顎に係り難くなるという支障が生じる。そして、特許文献３に記載のような、多機能ハンカチでは、衣類を汚さないように利用できても、ほとんどの素材が綿などを使用しているため、ハンカチ本体に口紅やファンデーションの付着が生じ、洗濯できても汚れが落ちにくくなり、布地の種類によっては、目の前が見え難く、着用する衣類の前身と後身の確認ができ難いという問題点が生じる。
【先行技術文献】
【特許文献】
【０００３】
【特許文献１】特開２００５−３１９１４５
【特許文献２】特開２０１３−２３１２５９
【特許文献３】特開２０１２−０１７５４２
【考案の概要】
【考案が解決しようとする課題】
【０００４】  上記のフェイスカバーは、不織布などで形成されているため、洗濯不可で不経済であり、衣類を脱ぐ時のフェイスカバーの操作が面倒であるという問題があった。
本考案は上記の課題を解決することを目的とするものである。
【課題を解決するための手段】
【０００５】  本考案は上記目的を達成するために、
以下の課題解決の手段を提供する。
第１の課題解決の手段は、着脱用フェイスカバー本体は、略円筒状の形をして、前面部と、背面部と、から成り、前面部の筒方向の長さは、背面部の筒方向の長さより長く設定して、略円筒形に構成され、上部開口部近傍に、円周方向に伸縮性を有する装着部が設けられていることである。【０００６】  第２の課題解決の手段は、着脱用フェイスカバー本体の前面部と、背面部とは、各々筒方向に延びる接合部が縫合されて、略円筒形に構成されることである。【０００７】  第３の課題解決の手段は、着脱用フェイスカバー本体の装着部は、弾性部材で構成され、装着部により、上部開口部近傍が円周方向に縮められて縫合されることである。【０００８】  第４の課題解決の手段は、着脱用フェイスカバー本体の吊るし紐が、装着部に接合されることである。【０００９】  第５の課題解決の手段は、着脱用フェイスカバー本体の前面部と背面部は、メッシュ構造のポリエステル素材で形成されることである。
【考案の効果】
【００１０】  本考案は、略円筒状の形をした着脱用フェイスカバーであって、前面部と、背面部と、から成り、前面部の筒方向の長さは、背面部の筒方向の長さより長く設定して、略円筒形に構成され、上部開口部近傍に、円周方向に伸縮性を有する装着部を設けることにより、衣類の着脱時における着脱用フェイスカバーの操作が容易になり、利便性の向上も期待できる。【００１１】、
着脱用フェイスカバーにおける前面部と、背面部とは、各々筒方向に延びる接合部が縫合されて、略円筒形に構成することにより、頭から顔全体をすっぽりと覆うことができるので、化粧汚れを防ぐ効果が得られる。【００１２】  着脱用フェイスカバーにおける装着部は、円周方向に伸縮性を有し、弾性部材を用い、上部開口部近傍を縮めて縫合するが、巾着の開口口のように弾性部材や紐を通して、上部開口部を縮める仕様も含まれる。いずれの仕様おいても、装着部が円周方向に縮み、衣類を着る時は、着脱用フェイスカバーを頭から被って装着すると、上部開口部が頭頂部に来て、装着部を頭頂部に乗せた状態が維持でき、前面部が顔面を、背面部が後頭部を覆うようになり、その上から衣類を滑らすように被ると、化粧で衣類が汚れず着用できる。また、衣類を脱ぐ時には、円周方向に伸縮性を有する装着部を首まで下して、背面部より丈が長く設定されている前面部の下辺の両端近傍を、両手で持ち上げながら、顔を覆うように裏返すと、顎下に装着部を引っ掛けた状態で、顔から後頭部近傍までを覆うことができ、衣類と一緒に脱げないようにできる。これにより、衣類の着脱時に化粧が衣類に付着せず、髪型も崩れ難く、手早く容易に着用することできる。【００１３】  本考案に係る着脱用フェイスカバーは、装着部に接合された収納紐によって収納し易くなり、洗濯後は干し易くなる。【００１４】  本考案に係る布製着脱用フェイスカバーは、透け感のあるメッシュ構造のポリエステル素材で形成されることにより、着脱時に視野を妨げ難く、洗濯しても汚れが落ち易く、乾き易いほか、衣類の滑りが良くなり着脱の動作が容易にできるようになる。
また、化粧時には、装着部を首まで下ろして、涎掛けのように使用することで、化粧ケープとしての役割も果たすことができる。
【図面の簡単な説明】
【００１５】
【図１】  本考案の第１の実施形態における着脱用フェイスカバーを構成する背面部の概略図である。
【図２】  同着脱用フェイスカバーを構成する前面部の概略図である。
【図３】  同着脱用フェイスカバーを構成する前面部と背面部との構成図である。
【図４】  同着脱用フェイスカバー本体の形状図である。
【図５】  本考案の第２の実施形態における着脱用フェイスカバーの着用時の説明図である。
【図６】  同着脱用フェイスカバー使用時において、装着部を首の位置まで下ろした説明図である。
【図７】  同着脱用フェイスカバー使用時において、衣類を脱ぐ時の説明図である。
【考案を実施するための形態】
【００１６】  本考案を実施形態の添付図面に従って説明する。図４は本考案の実施形態における、着脱用フェイスカバー本体の形状図である。
図４に示すように、着脱用フェイスカバーの背面部１の左右両辺１Ｌ、１Ｒと、前面部２の左右両辺２Ｌ、２Ｒと、を各々接合するために縫合または接着して、背面部１の下辺１ｂと、左右の接合部Ｌ、Ｒ以外の前面部の下辺２ｂと、および前面部２の上辺２ａと、背面部１の上辺１ａと、から成る上部開口部４は、解れ防止のために縫製するが、不織布では必要としない。装着部３は、伸縮性を有する弾性部材を上部開口部４近傍に縮めて縫合し、吊るし紐５は左の接合部Ｌまたは、右の接合部Ｒのどちらか一方で装着部３の弾性部材と縫合される。
【００１７】  図２は本考案の実施形態における、着脱用フェイスカバーを構成する前面部２の概略図である。
図２に示すように、前面部２は上辺２ａと、下辺２ｂ、および左辺２Ｌと、右辺２Ｒと、から成り、略長方形で構成される。
【００１８】  図３は本考案の実施形態における、着脱用フェイスカバーの前面部２と、背面部１と、を重ねた構成図である。
【００１９】  図１は本考案の実施形態における、着脱用フェイスカバーを構成する背面部１の概略図である。
図１に示すように、背面部１は上辺１ａと、下辺１ｂ、および左辺１Ｌと、右辺１Ｒと、の４辺からなる四角形で構成される。
【００２０】  図５は本考案の実施形態における、着脱用フェイスカバーの着用時の説明図である。
図５に示すように、前面部２と背面部１は左右の接合部Ｌ、Ｒを設けて縫合して一体化し、前面部２の上辺２ａと背面部１の上辺１ａから成る上部開口部４は解れ防止のために縫製して略円筒形に形成され、前面部２で頭頂部近傍から顔および首下までを、背面部１で頭頂部近傍から後頭部を耳下まで覆うようにし、装着部３を頭頂部に乗せるように装着すると、衣類を頭から被って着ても化粧が付かないように着用でき、吊るし紐５は収納時や洗濯後の乾燥時にフックに引っ掛けて使用することができる。
【００２１】  図６は本考案の実施形態における布製脱着用フェイスカバー使用時において、装着部３を首の位置まで下ろした説明図である。
図６に示すように、伸縮性を有する弾性部材を縫合して設けられた装着部３を、両手で広げながら顔に触れないようにして首下まで下ろし、前面部２の上辺２ａと背面部１の上辺１ａとから成る上部開口部４が顎下近傍を覆うように装着すると、前面部２の下辺２ａが胸部近傍までを覆った状態になり、化粧ケープとしても利用できる。
【００２２】  図７は本考案の実施形態における布製脱着用フェイスカバーの使用時において、衣類を脱ぐ時の説明図である。
図７に示すように、背面部１と前面部２との左右の接合部Ｌ，Ｒが顔の両側にくるようにして、前面部２の上辺２ａと背面部１の上辺１ａとから成る上部開口部４が顎下近傍を覆い、装着部３を顎下に引っ掛けるようにして、前面部２の下辺２ｂの両端近傍を両手で持ち上げながら、顔を覆うように裏返すと、顔から後頭部近傍までを覆うことができる。また、吊るし紐５は収納時や、洗濯後の乾燥時に、フックに引っ掛けて使用することができる。
【符号の説明】
【００２３】１                背面部
１ａ              背面部の上辺
１ｂ              背面部の下辺
１Ｒ              背面部の右の接合部
１Ｌ              背面部の左の接合部
２                前面部
２ａ              前面部の上辺
２ｂ              前面部の下辺
２Ｒ              前面部の右の接合部
２Ｌ              前面部の左の接合部
３                装着部
４                上部開口部
５                吊るし紐
Ｒ                右の接合部
Ｌ                左の接合部
【図１】
0003229425.tif 000003
【図２】
0003229425.tif 000004
【図３】
0003229425.tif 000005
【図４】
0003229425.tif 000006
【図５】
0003229425.tif 000007
【図６】
0003229425.tif 000008
【図７】
0003229425.tif 000009